(57)【要約】【課題】バックライトに供給するピーク電流量を平均化でき、電源のサイズやコストの増大を抑制でき、異音の発生を抑制することが可能で、画像の明るさを確保し、低クロストークで鮮明なモニタ表示が可能な発光素子駆動回路、発光素子駆動方法、および表示装置を提供する。【解決手段】発光部の一端側に駆動電力を供給する電源であって、少なくとも発光部の他端側と基準電位間における一接続ノードの接続ノード電圧に応じた信号により出力容量に供給する出力電流を調整する機能を含む電源制御部を有し、電源制御部は、発光部を所定周期でインパルス駆動する際に、必要となる発光部のピーク電力である負荷電流情報をもとに発光部の電源制御部からの出力電流の供給量を変化させる。【選択図】図２
2013200327.tif 000002
【特許請求の範囲】
【請求項１】
流れる電流に応じた輝度で発光する少なくとも一つの発光素子を含む発光部と、
上記発光部に供給する電力を蓄積可能な出力容量と、
上記発光部の他端側と基準電位との間に接続され、負荷電流の大きさに応じたパルス状の点灯信号によって導通状態が制御されるスイッチ部と、当該スイッチ部に直列に接続された定電流源部と、を含み、当該点灯信号に応じて上記発光部をインパルス駆動するドライバと、
上記発光部の一端側に駆動電力を供給する電源であって、少なくとも上記発光部の他端側と基準電位間における一接続ノードの接続ノード電圧に応じた信号により上記出力容量に供給する出力電流を調整する機能を含む電源制御部と、を有し、
上記電源制御部は、
上記発光部を所定周期でインパルス駆動する際に、必要となる上記発光部のピーク電力である負荷電流情報をもとに当該発光部の当該電源制御部からの上記出力電流の供給量を変化させる
発光素子駆動装置。
【請求項２】
上記電源制御部は、
上記負荷電流が切り替わる前の段階における次の負荷電流の大きさの情報をもとに、供給する出力電流を変化させる
請求項１記載の発光素子駆動装置。
【請求項３】
上記電源制御部は、
画像切り替え周期に対して平均化した出力電流を供給する
請求項１記載の発光素子駆動装置。
【請求項４】
上記電源制御部は、
上記負荷電流が、画像切り替え周期毎にデューティが変化する場合に、画像切り替え周期に対して平均化した出力電流を供給する
請求項３記載の発光素子駆動装置。
【請求項５】
上記電源制御部は、
上記負荷電流が、画像切り替え周期毎のピーク電流が変化する場合に、画像切り替え周期に対して平均化した出力電流を供給する
請求項３記載の発光素子駆動装置。
【請求項６】
上記電源制御部は、
上記負荷電流が、画像切り替え周期毎の点灯期間中の高周波ディマーのデューティが変化する場合に、画像切り替え周期に対して平均化した出力電流を供給する
請求項３記載の発光素子駆動装置。
【請求項７】
上記電源制御部は、
制御端子への信号に応じて流れるピーク電流が調整可能なスイッチ素子を含み、当該ピーク電流の大きさにより上記出力電流を変化させ、当該調整に応じた出力電力を上記発光部の一端側に供給するスイッチング電源部と、
制御部と、を含み、
上記制御部は、
上記発光部の他端側と基準電位間における一接続ノードの接続ノード電圧とあらかじめ設定された基準電圧との誤差電圧を得するフィードバック増幅器と、
上記フィードバック増幅器で得られた誤差電圧を、供給される上記負荷電流情報に応じて変化させるフィードフォワード部と、
上記フィードフォワード部で変化された誤差電圧に比例した上記スイッチ素子を流れる上記ピーク電流となるパルス幅の信号を上記スイッチ素子の制御端子に出力するパルス変換部と、を含む
請求項１記載の発光素子駆動装置。
【請求項８】
上記ドライバのスイッチ部に供給されるパルス状の点灯信号は、
所定周期に応じて上記発光部を点灯させるブリンキング信号と、明るさを調節する点灯信号と、を含み、
上記電源制御部の上記フィードフォワード部は、
上記フィードバック増幅器で得られた誤差電圧を、供給される上記明るさを調節する点灯信号に応じて変化させる
請求項７記載の発光素子駆動装置。
【請求項９】
流れる電流に応じた輝度で発光する少なくとも一つの発光素子を含む発光部と、
上記発光部に供給する電力を蓄積可能な出力容量と、
上記発光部の他端側と基準電位との間に接続され、負荷電流の大きさに応じたパルス状の点灯信号によって導通状態が制御されるスイッチ部と、当該スイッチ部に直列に接続された定電流源部と、を含み、当該点灯信号に応じて上記発光部をインパルス駆動するドライバと、
上記発光部の一端側に駆動電力を供給する電源であって、少なくとも上記発光部の他端側と基準電位間における一接続ノードの接続ノード電圧に応じた信号により上記出力容量に供給する出力電流を調整する機能を含む電源制御部と、
を有する発光素子駆動装置で上記発光部を所定周期でインパルス駆動する際に、必要となる上記発光部のピーク電力である負荷電流情報をもとに当該発光部の上記電源制御部からの上記出力電流の供給量を変化させる
発光素子駆動方法。
【請求項１０】
上記負荷電流が切り替わる前の段階における次の負荷電流の大きさの情報をもとに、供給する出力電流を変化させる
請求項９記載の発光素子駆動方法。
【請求項１１】
画像切り替え周期に対して平均化した出力電流を供給する
請求項９記載の発光素子駆動方法。
【請求項１２】
上記負荷電流が、画像切り替え周期毎にデューティが変化する場合に、画像切り替え周期に対して平均化した出力電流を供給する
請求項１１記載の発光素子駆動方法。
【請求項１３】
上記負荷電流が、画像切り替え周期毎のピーク電流が変化する場合に、画像切り替え周期に対して平均化した出力電流を供給する
請求項１１記載の発光素子駆動方法。
【請求項１４】
上記負荷電流が、画像切り替え周期毎の点灯期間中の高周波ディマーのデューティが変化する場合に、画像切り替え周期に対して平均化した出力電流を供給する
請求項１１記載の発光素子駆動方法。
【請求項１５】
表示部と、
流れる電流に応じた輝度で発光する少なくとも一つの発光素子を含む発光部を有し、上記表示部に発光した光を照射する照明ユニットと、
上記発光部における発光素子を駆動する発光素子駆動装置と、を有し、
上記発光素子駆動装置は、
流れる電流に応じた輝度で発光する少なくとも一つの発光素子を含む発光部と、
上記発光部に供給する電力を蓄積可能な出力容量と、
上記発光部の他端側と基準電位との間に接続され、負荷電流の大きさに応じたパルス状の点灯信号によって導通状態が制御されるスイッチ部と、当該スイッチ部に直列に接続された定電流源部と、を含み、当該点灯信号に応じて上記発光部をインパルス駆動するドライバと、
上記発光部の一端側に駆動電力を供給する電源であって、少なくとも上記発光部の他端側と基準電位間における一接続ノードの接続ノード電圧に応じた信号により上記出力容量に供給する出力電流を調整する機能を含む電源制御部と、を有し、
上記電源制御部は、
上記発光部を所定周期でインパルス駆動する際に、必要となる上記発光部のピーク電力である負荷電流情報をもとに当該発光部の当該電源制御部からの上記出力電流の供給量を変化させる
表示装置。
【発明の詳細な説明】
【技術分野】
【０００１】
本技術は、発光ダイオード（ＬＥＤ）等、流れる電流に応じた輝度で発光する発光素子駆動装置、発光素子駆動方法およびそれを用いた、たとえば非発光の透過型の表示部を有する表示装置に関するものである。
【背景技術】
【０００２】
液晶パネルのバックライトは、蛍光管を使ったＣＣＦＬ（Cold Cathode Fluorescent Lamp）タイプに代わる光源として発光ダイオード（ＬＥＤ：Light Emitting Diode）が用いられている。
特に、赤色ＬＥＤ、緑色ＬＥＤ、青色ＬＥＤの各原色を個別に使用し、光学的に合成加法混色して白色を得る方法は、色のバランスがとりやすいため、テレビジョン用途として用いられている。また、近年では白色ＬＥＤの演色性の改善が進み、テレビジョン用途としても多く用いられるようになってきている。
【０００３】
ＬＥＤは、基本的に電流に応じて輝度が変化する特性を持ち、また順方向電圧は個体差のバラツキや温度で変動する。
したがって、ＬＥＤを液晶パネル（ＬＣＤ等）のバックライトとして使う際には、一定の均一な輝度を得るため、その駆動装置には定電流特性が求められる。
【０００４】
また、広いダイナミックレンジで安定して輝度を調整するため、ＬＥＤに流れる電流を一定のタイミングでオン／オフし、そのオン／オフ期間の比率によって輝度を調整するＰＷＭ制御方式を採用した駆動装置が知られている。
この方式を実現する方法の一つとして、ＬＥＤと直列にスイッチ素子を挿入して、ある決められたタイミングでオン／オフする方法が採用される（たとえば、特許文献１参照）。
また、ＬＥＤと直列に接続されたスイッチ素子を点灯信号でオン／オフし、昇圧チョッパ型等のスイッチング電源部のスイッチングトランジスタをＰＷＭ制御する方式も知られている。
【０００５】
ＬＣＤモニタは通常、画像の切り替わり時に液晶の応答速度が遅いことにより発生してしまう残像（クロストーク）の影響を抑えるため、図１に示すような制御が行われる。
すなわち、ＬＣＤモニタでは、バックライトのオン／オフタイミングを画像の切り替わりに応じて制御することで鮮明な画像の表示を保っている。
その時のバックライトのオン／オフタイミングは、クロストーク期間は黒挿入としてバックライトをオフさせ、クロストークが極力発生していない期間のみバックライトをオンさせて画像を表示している。
ところが、その場合、全体のバックライトの輝度が低下してしまうという悪影響があったため、これを防ぐために駆動電流量の突き上げ（ピーク電流量アップ）を行い、画像の明るさを保っている。
【先行技術文献】
【特許文献】
【０００６】
【特許文献１】特開２００１−２７２９３８号公報
【発明の概要】
【発明が解決しようとする課題】
【０００７】
しかし、突き上げ量が大きすぎるとバックライトに電力を供給する電源が大きな負担となってしまい、改善するには大電力に耐えられるような電源を備え付ける必要がある。
そのため、電源のサイズの増大やコストが増大するということから、現状では２倍程度の電流突き上げにとどまっている。
【０００８】
また、突き上げ量が大きすぎると、電源から供給する電力がインパルス状になることから、電源に備え付けられているコイルやトランスに流れる電流が急峻となり、音鳴り（異音）の発生する要因ともなっていた。
なお、一般に、電源に使われているトランスやチョークコイル等の磁性部品やキャパシタは、原理的に印加される電流・電圧の周波数で振動する性質がある。
【０００９】
本技術は、バックライトに供給するピーク電流量を平均化でき、電源のサイズやコストの増大を抑制でき、異音の発生を抑制することが可能で、画像の明るさを確保し、低クロストークで鮮明なモニタ表示が可能な発光素子駆動回路、発光素子駆動方法、および表示装置を提供することにある。
【課題を解決するための手段】
【００１０】
本技術の第１の観点の発光素子駆動装置は、流れる電流に応じた輝度で発光する少なくとも一つの発光素子を含む発光部と、上記発光部に供給する電力を蓄積可能な出力容量と、上記発光部の他端側と基準電位との間に接続され、負荷電流の大きさに応じたパルス状の点灯信号によって導通状態が制御されるスイッチ部と、当該スイッチ部に直列に接続された定電流源部と、を含み、当該点灯信号に応じて上記発光部をインパルス駆動するドライバと、上記発光部の一端側に駆動電力を供給する電源であって、少なくとも上記発光部の他端側と基準電位間における一接続ノードの接続ノード電圧に応じた信号により上記出力容量に供給する出力電流を調整する機能を含む電源制御部と、を有し、上記電源制御部は、上記発光部を所定周期でインパルス駆動する際に、必要となる上記発光部のピーク電力である負荷電流情報をもとに当該発光部の当該電源制御部からの上記出力電流の供給量を変化させる。
【００１１】
本技術の第２の観点の発光素子駆動方法は、流れる電流に応じた輝度で発光する少なくとも一つの発光素子を含む発光部と、上記発光部に供給する電力を蓄積可能な出力容量と、上記発光部の他端側と基準電位との間に接続され、負荷電流の大きさに応じたパルス状の点灯信号によって導通状態が制御されるスイッチ部と、当該スイッチ部に直列に接続された定電流源部と、を含み、当該点灯信号に応じて上記発光部をインパルス駆動するドライバと、上記発光部の一端側に駆動電力を供給する電源であって、少なくとも上記発光部の他端側と基準電位間における一接続ノードの接続ノード電圧に応じた信号により上記出力容量に供給する出力電流を調整する機能を含む電源制御部と、を有する発光素子駆動装置で上記発光部を所定周期でインパルス駆動する際に、必要となる上記発光部のピーク電力である負荷電流情報をもとに当該発光部の上記電源制御部からの上記出力電流の供給量を変化させる。
【００１２】
本技術の第３の観点の表示装置は、表示部と、流れる電流に応じた輝度で発光する少なくとも一つの発光素子を含む発光部を有し、上記表示部に発光した光を照射する照明ユニットと、上記発光部における発光素子を駆動する発光素子駆動装置と、を有し、上記発光素子駆動装置は、流れる電流に応じた輝度で発光する少なくとも一つの発光素子を含む発光部と、上記発光部に供給する電力を蓄積可能な出力容量と、上記発光部の他端側と基準電位との間に接続され、負荷電流の大きさに応じたパルス状の点灯信号によって導通状態が制御されるスイッチ部と、当該スイッチ部に直列に接続された定電流源部と、を含み、当該点灯信号に応じて上記発光部をインパルス駆動するドライバと、上記発光部の一端側に駆動電力を供給する電源であって、少なくとも上記発光部の他端側と基準電位間における一接続ノードの接続ノード電圧に応じた信号により上記出力容量に供給する出力電流を調整する機能を含む電源制御部と、を有し、上記電源制御部は、上記発光部を所定周期でインパルス駆動する際に、必要となる上記発光部のピーク電力である負荷電流情報をもとに当該発光部の当該電源制御部からの上記出力電流の供給量を変化させる。
【発明の効果】
【００１３】
本技術によれば、バックライトに供給するピーク電流量を平均化でき、電源のサイズやコストの増大を抑制でき、異音の発生を抑制することが可能で、画像の明るさを確保し、低クロストークで鮮明なモニタ表示が可能となる。
【図面の簡単な説明】
【００１４】
【図１】一般的なＬＣＤモニタにおけるバックライトのオン／オフのタイミング制御について説明するための図である。
【図２】本第１の実施形態に係る発光素子（ＬＥＤ）駆動装置の基本構成例を示すブロック図である。
【図３】負荷がオフしている区間もＬＥＤ電源制御部からの電流を出力容量に供給し続けて充電させ、その後一気に放電させる方法を説明するための図である。
【図４】図３の方法において、出力変動が発生することを説明するための図である。
【図５】負荷電流が切り替わる前の段階（負荷が切り替わる前のオフ期間）で次の負荷電流の大きさの情報をもとに、供給する電流量を変化させる方法を説明するための図である。
【図６】図５の方法を適用した場合の負荷電流の変化の態様を示す図である。
【図７】本第２の実施形態に係る発光素子（ＬＥＤ）駆動装置の構成例を示すブロック図である。
【図８】本第３の実施形態に係る発光素子（ＬＥＤ）駆動装置の構成例を示すブロック図である。
【図９】本技術に係る第４の実施形態の液晶表示装置の構成例を示すブロック図である。
【図１０】透過型ＬＣＤパネルの構成例を示す図である。
【発明を実施するための形態】
【００１５】
以下、本技術の実施形態を図面に関連付けて説明する。
なお、説明は以下の順序で行う。
１．第１の実施形態（発光素子（ＬＥＤ）駆動装置の第１の構成例）
２．第２の実施形態（発光素子（ＬＥＤ）駆動装置の第２の構成例）
３．第３の実施形態（発光素子（ＬＥＤ）駆動装置の第３の構成例）
４．第４の実施形態（表示装置の構成例）
【００１６】
＜１．第１の実施形態＞
図２は、本第１の実施形態に係る発光素子（ＬＥＤ）駆動装置の基本構成例を示すブロック図である。
【００１７】
本実施形態においては、駆動対象である、流れる電流によって輝度が変化する電気光学素子である発光素子としてＬＥＤを採用している。
【００１８】
本第１の実施形態に係るＬＥＤ駆動装置１０は、ＬＥＤ電源制御部２０、負荷としての発光部３０、およびＬＥＤドライバ４０を有する。
発光部３０は、たとえばＬＣＤパネルのバックライト等に適用される。
【００１９】
ＬＥＤ電源制御部２０は、蓄電用キャパシタである出力容量Ｃ２１を含むたとえば昇圧型のスイッチング電源部２１、および制御部（ＤＣＤＣコンバータ）２２を含んで構成される。
スイッチング電源部２１は、図示されていないが、出力容量Ｃ２１の他に、たとえば定電圧源、インダクタ、ダイオード、スイッチングトランジスタ、電流検出用抵抗素子等を含んで構成される。
【００２０】
このような構成を有するスイッチング電源部２１は、制御部２２のＰＷＭ制御されたパルス信号によりスイッチングトランジスタがオン、オフ制御されて定電圧源の電圧ＶＤＤを昇圧して負荷である発光部３０の一端部に供給する。
【００２１】
本実施形態のＬＥＤ電源制御部２０は、制御部２２が負荷である発光部３０を点灯制御するための負荷情報の供給を受けて、スイッチング電源部２１による出力駆動電流Ｉoutを次のように制御する。
ＬＥＤ電源制御部２０は、ＬＣＤＴＶ等で使用するバックライト等の発光部３０をインパルス駆動する際に、必要となる発光部３０のピーク電流（電力、負荷電流）の情報をもとに発光部３０のスイッチング電源部２１からの供給量をフィードフォワードさせる。
そして、ＬＥＤ電源制御部２０は、たとえば画像切り替え周期（Ｖ（垂直）周期）に対して常時平均電流を供給することでＬＥＤ電源制御部２０からの供給電力を分散させ、ピーク電流量を抑えることができる制御方式が採用されている。
これにより、電源のコストダウンやインダクタ／トランス部品等の音鳴りを抑制することができるうえ、ＬＣＤＴＶ等のインパルス駆動が容易になることから画像の明るさの確保や低クロストークで鮮明なモニタ表示を可能としている。
【００２２】
発光部３０は、複数のＬＥＤ３−１〜３１−ｎが直列に接続されたＬＥＤアレイにより形成されている。
直列接続された複数のＬＥＤ３１−１〜３１−ｎの中で、一端側のＬＥＤ３１−１のアノードがスイッチング電源部２１の電圧出力に接続され、他端側のＬＥＤ３１−ｎのカソードがＬＥＤドライバ４０に接続されている。
ＬＥＤ３１−ｎのカソードとＬＥＤドライバ４０との接続ノードＮＤ１１がＬＥＤ電源制御部２０にフィードバックするように接続される。
接続ノードＮＤ１１の電圧Ｖｓは、基本的にスイッチング電源部２１の供給電圧Ｖｏｕｔから発光部３０の全ＬＥＤ３１−１〜３１−ｎの順方向電圧Ｖｆの総和ΣＶｆ（＝ＶＦ）を減じた電圧となる。
なお、発光部３０は、複数のＬＥＤにより形成される構成に限らず、単体のＬＥＤにより形成されていてもよい。
【００２３】
ＬＥＤドライバ４０は、スイッチ部４１および定電流源部４２を含んで構成される。
スイッチ部４１は、一端子ａが発光部３０のＬＥＤ３１−ｎのカソードが接続されている。
スイッチ部４１は、他端子ｂが定電流源部４２に接続され、定電流源部４２は基準電位ＶＳＳに接続されている。
スイッチ部４１は、ＰＷＭ制御されたパルス状のＬＥＤ点灯信号ＬＯがアクティブのハイレベルの期間オン状態に保持される。このとき、スイッチング電源部２１の供給電圧Ｖｏｕｔを受けた発光部３０に電流Ｉｄｉｍが流れ、各ＬＥＤ３１−１〜３１−ｎが点灯する。
スイッチ部４１は、ＬＥＤ点灯信号ＬＯが非アクティブのローレベルの期間オフ状態に保持され、このとき、スイッチング電源部２１の供給電圧Ｖｏｕｔを受けた発光部３０に電流Ｉｄｉｍが流れず、各ＬＥＤ３１−１〜３１−ｎが消灯する。
【００２４】
ここで、本実施形態のＬＥＤ電源制御部２０における出力駆動電流Ｉｏｕｔの制御について、図２〜図６に関連付けてさらに詳細に説明する。
【００２５】
図２は、たとえばＬＣＤのバックライトとしての発光部３０にＬＥＤ３１−１〜３１−ｎを用い、そのＬＥＤ３１（−１−ｎ）に流す電流がインパルス状の負荷となるようなＬＥＤドライバ４０とＬＥＤに電流を供給するＬＥＤ電源制御部２０を示している。
図３は、負荷がオフしている区間もＬＥＤ電源制御部からの電流を出力容量に供給し続けて充電させ、その後一気に放電させる方法を説明するための図である。
図４は、図３の方法において、出力変動が発生することを説明するための図である。
図５は、負荷電流が切り替わる前の段階（負荷が切り替わる前のオフ期間）で次の負荷電流の大きさの情報をもとに、供給する電流量を変化させる方法を説明するための図である。
図６（Ａ）〜（Ｃ）は、図５の方法を適用した場合の負荷電流の変化の態様を示す図である。図６（Ａ）はＶ周期毎にデューティが変化する場合を示し、図６（Ｂ）はＶ周期毎のピーク電流が変化する場合を示し、図６（Ｃ）はＶ周期毎の点灯期間中にＰＷＭ（降雨周波）ディマーのデューティが変化する場合を示している。
【００２６】
上述したように、ＬＥＤドライバ４０はＰＷＭパルスのデューティに応じてオン／オフし、電流Ｉｄｉｍがパルス状でＬＥＤ３１−１〜３１−ｎに流れる。
通常であれば、Ｉｄｉｍと同じパルス電流をＬＥＤ電源制御部２０から駆動電流Ｉｏｕｔとして供給する必要がある。
ただし、図３に示すように、負荷がオフしている区間もＬＥＤ電源制御部２０からの電流を出力容量に供給し続けて充電させ、その後一気に放電させることをする。
このとき、パルス状の電流Ｉｄｉｍに対してＶ周期における平均電流が一致するように駆動電流Ｉｏｕｔに一定電流を供給することで安定した動作となり、駆動電流Ｉｏｕｔのピーク電流を抑えることができる。
ただし、この状態で負荷の電力に変化が生じた場合、図４に示すように、出力変動が発生してしまい、電流パルスの周期が長いことによるフィードバックの遅れで、出力電圧Ｖｏｕｔの変動が大きくなることから負荷電流に影響を与えてしまう。
【００２７】
その解決策として、本実施形態においては、図５に示すように、負荷電流が切り替わる前の段階（負荷が切り替わる前のオフ期間）で次の負荷電流の大きさの情報をもとに、供給する電流量であるＩｏｕｔを変化させる。
これにより、電圧Ｖｏｕｔの変動は出力容量を充放電するリップル電圧の変化のみとなることから負荷電流も一定となり安定した動作となる。
【００２８】
また、負荷電流の変化については様々な場合が存在する。図６にはその例を示す。
図６（Ａ）〜（Ｃ）の全ての場合に対する負荷電流の変化に応じ、駆動電流Ｉｏｕｔを変化させ平均化させることで安定した動作が可能となる。
たとえば図６（Ａ）に示すようにデューティが徐々に大きくなる場合、図６（Ｂ）に示すようにピーク電流が徐々に大きくなる場合、図６（Ｃ）に示すようにＰＷＭディマー徐々に大きくなる場合、電流Ｉｏｕｔはステップ状になるように平均化される。
【００２９】
以上のように、本第１の実施形態によれば、以下の効果を得ることができる。
従来は電源突き上げ量が大きすぎるとバックライトに電力を供給する電源が大きな負担となっていた。
これに対して、本実施形態のＬＥＤ駆動装置１０においては、バックライト等の発光部３０に供給するピーク電流量が平均化されて低くなることにより、電源の低コスト化や低面積化を実現することが可能となる。
また、一般に、電源から供給する電力がインパルス状になることで電源に備え付けられているコイルやトランスに流れる電流が急峻となり音鳴りが発生する要因ともなっていたが、本方式により電流が急峻に変化しないため異音（音鳴り）対策の効果がある。
加えてこの構成を実現する構成例となっているフィードフォワード制御は、負荷応答に対して瞬時に反応できるため、安定してバックライト等の発光部３０を点灯させることが可能となる。
画像の面では、実現が難しかった突き上げを大きくしたＬＣＤのインパルス駆動が容易に実現できることから、明るくそして低クロストークで鮮明なモニタ表示が可能になる。
【００３０】
このように、本技術を実現するには前もって負荷電流の大きさの情報をもとに供給する出力電流Ｉｏｕｔを変化させるＬＥＤ電源制御部が必要であるが、その具体例としてフィードフォワード機能として乗算器を内蔵したＤＣＤＣコンバータを例示することができる。
乗算器は、誤差電圧を負荷電流情報に応じて変化させるフィードフォワード部（電圧変更部）として機能する。
【００３１】
＜２．第２の実施形態＞
図７は、本第２の実施形態に係る発光素子（ＬＥＤ）駆動装置の構成例を示す回路図である。
【００３２】
図７は、フィードフォワード部として乗算器を内蔵したＤＣＤＣコンバータを含むＬＥＤ駆動装置１０Ａの具体例を示している。
図７において、図２の構成と同一構成部分は同一符号をもって表している。
【００３３】
図７のＬＥＤ駆動装置１０Ａは、昇圧チョッパ型のスイッチング電源部２１Ａおよび制御部としてのＤＣＤＣコンバータ２２Ａを含むＬＥＤ電源制御部２０Ａ、負荷としての発光部３０、並びにスイッチ部４１および定電流源部４２を含むＬＥＤドライバ４０を有する。
【００３４】
スイッチング電源部２１Ａは、定電圧源Ｖ２１、インダクタＬ２１、ダイオードＤ２１、蓄電用キャパシタである出力容量Ｃ２１、スイッチングトランジスタＳＷ２１、電流検出用抵抗素子Ｒ２１、およびノードＮＤ２１〜ＮＤ２３を有する。
【００３５】
インダクタＬ２１の一端が電圧ＶＤＤの定電圧源Ｖ２１に接続され、他端がノードＮＤ２１に接続されている。ダイオードＤ２１のアノードがノードＮＤ２１に接続され、カソードがノードＮＤ２２に接続されている。出力容量（キャパシタ）Ｃ２１の一方の端子(電極)がノードＮＤ２２に接続され、他方の端子(電極)が基準電位ＶＳＳ（たとえば接地電位）に接続されている。
ノードＮＤ２２は、スイッチング電源部２１Ａの電圧出力ノードとして負荷である発光部３０の一端部に接続されている。
スイッチングトランジスタＳＷ２１は、たとえばｎチャネルの電界効果トランジスタであるＮＭＯＳトランジスタにより形成される。スイッチングトランジスタＳＷ２１のドレインがノードＮＤ２１に接続され、ソースが抵抗素子Ｒ２１の一端に接続されている。このソースと抵抗素子Ｒ２１の一端との接続点によりノードＮＤ２３が形成されている。抵抗素子Ｒ２１の他端が基準電位ＶＳＳに接続されている。
【００３６】
このようなスイッチング電源部２１Ａは、ＤＣＤＣコンバータ（制御部）２２ＡのＰＷＭ制御されたパルス信号によりスイッチングトランジスタＳＷ２１がオン、オフ制御されて定電圧源Ｖ２１の電圧ＶＤＤを昇圧して負荷である発光部３０の一端部に供給する。
【００３７】
ＤＣＤＣコンバータ（制御部）２２Ａは、フィードバック増幅器２２１、ホールドスイッチ（ＳＷhold）２２２、およびフィードフォワード機能部としての乗算器（演算器）２２３を有する。
ＤＣＤＣコンバータ２２Ａは、比較器２２４、パルス出力用フリップフロップ（ＦＦ）２２５、クロック発生器２２６、ドライバ２２７、基準電圧源Ｖ２２１、キャパシタＣ２２１、抵抗素子Ｒ２２１、および端子Ｔ２２１〜Ｔ２２５を有する。
比較器２２４、ＦＦ２２５、およびクロック発生器２２６によりパルス変換部が形成される。
【００３８】
端子Ｔ２２１はＶ周期毎の発光部３０の負荷量データＤＬＤの供給ラインに接続され、かつ、乗算器２２３の負荷量データＤＬＤの入力部に接続されている。
端子Ｔ２２２は発光部３０のＬＥＤ３１−ｎのカソードとＬＥＤドライバ４０のスイッチ部との接続ノードＮＤ１１に接続、端子Ｔ２２３はスイッチング電源部２１ＡのノードＮＤ２３に接続されている。
端子Ｔ２２４がスイッチングトランジスタＳＷ２１のゲートに接続されている。
端子Ｔ２２５と基準電位ＶＳＳとの間に抵抗素子Ｒ２２１とキャパシタＣ２２１が直列に接続されている。
【００３９】
フィードバック増幅器２２１は、非反転入力端子（＋）が基準電圧源Ｖ２２１に接続され、反転入力端子（−）がノードＮＤ１１の電圧Ｖｓが供給される端子Ｔ２２２に接続されている。
フィードバック増幅器２２１は、ノードＮＤ１１の電圧Ｖｓと基準電圧Ｖｒｅｆとの電圧差を増幅して誤差電圧Ｖｅｒｒをホールドスイッチ２２２に出力する。この誤差電圧Ｖｅｒｒはホールドスイッチ２２２がオフ期間にキャパシタＣ２２１にホールドされる。
【００４０】
ホールドスイッチ２２２は、端子ａがフィードバック増幅器２２１の出力に接続され、端子ｂが端子Ｔ２２５および乗算器２２３の一入力に接続されている。
ホールドスイッチ２２２は、ＰＷＭパルス信号であるＬＥＤ点灯信号ＬＯがアクティブのとき端子ａと端子ｂが導通し、非アクティブのとき非導通となる。
ホールドスイッチ２２２は、導通状態にあるとき、フィードバック増幅器２２１による誤差電圧Ｖｅｒｒを、乗算器２２３に入力させる。
【００４１】
乗算器２２３は、フィードバック増幅器２２１の出力では誤差電圧Ｖｅｒｒを入力し、この誤差電圧Ｖｅｒｒを、端子Ｔ２２１を介して入力されるフィードフォワード用負荷量データＬＤＬに応じて変化させる。
本実施形態のＤＣＤＣコンバータ２２Ａはピーク電流モードであり、ＤＣＤＣコンバータ２２Ａのスイッチング時のピーク電流Ｉｄｃｄｃの大きさにより出力容量Ｃ２１に供給する電流Ｉｏｕｔが変化する。
本実施形態においては、乗算器２２３の出力値によってＤＣＤＣコンバータ２２Ａのピーク電流Ｉｄｃｄｃが制御されるため、出力容量に供給する電流Ｉｏｕｔの電流量がフィードフォワード入力によって変化できる構成となっている。
【００４２】
比較器２２４は、非反転入力端子（＋）がスイッチング電源部２１ＡのノードＮＤ２３に接続された端子Ｔ２２３に接続され、反転入力端子（−）が乗算器２２３の出力に接続されている。
比較器２２４は、負荷量データＤＬＤに応じて変化する乗算器２２３の出力である誤差電圧ＶｅｒｒとノードＮＤ２３の電圧（電流Ｉｄｃｄｃが抵抗素子Ｒ２２１で変換される電圧）ＶＮ２３とを比較し、比較結果をＦＦ２２５に出力する。
比較器２２４は、ノードＮＤ２３の電圧ＶＮ２３が誤差電圧Ｖｅｒｒより低い場合にはローレベルの信号を出力し、高い場合にはハイレベルの信号を出力する。
【００４３】
ＦＦ２２５は、セットリセット型(ＲＳ型)ＦＦにより構成されている。
ＦＦ２２５は、セット端子Ｓに供給されるクロックＣＬＫとリセット端子ＲＴに供給される比較器２２４の出力レベルに応じたパルスを端子Ｑから出力する。
ＦＦ２２５は、結果としてノードＮＤ１１の電圧Ｖｓと基準電圧Ｖｒｅｆの差分に応じてパルス幅の信号ＰＬＳを、ドライバ２２７に出力する。
このパルス信号ＰＬＳがドライバ２２７を介してスイッチングトランジスタＳＷ２１のゲートに供給され、スイッチング電源部２１Ａでは、このスイッチングトランジスタＳＷ２１のオン、オフ制御により昇圧動作が行われる。
【００４４】
本実施形態のＤＣＤＣコンバータ２２Ａのフィードバック部は、発光部３０のＬＥＤのカソード側からＬＥＤのＯＮ時の電圧Ｖｓをサンプリングホールドしている。フィードバック増幅器２２１はＰＷＭ周期（サンプリング周期）に対して十分応答の遅いＡＭＰで構成する必要がある。
そのフィードバック増幅器２２１の出力をホールドスイッチ２２２を介して乗算器２２３に入力し、フィードフォワード用の入力信号である負荷量データＤＬＤに応じて乗算器２２３の出力を変化させる。
また、ＤＣＤＣコンバータ２２Ａはピーク電流モードであり、ＤＣＤＣコンバータ２２Ａのスイッチング時のピーク電流Ｉｄｃｄｃの大きさにより出力容量に供給する電流Ｉｏｕｔが変化する。
本実施形態では、乗算器２２３の出力値によってＤＣＤＣコンバータのピーク電流Ｉｄｃｄｃが制御されるため、出力容量Ｃ２１に供給する電流Ｉｏｕｔの電流量がフィードフォワード入力によって変化できる。
このフィードフォワード入力には、ＬＥＤ電流がオフしている期間に次のＬＥＤ電流の大きさの情報を入力させ、乗算器２２３の出力を変化させることで予め出力容量Ｃ２１に供給する電力である電流Ｉｏｕｔを変化させておく。
その後、ＬＥＤの電流を出力容量Ｃ２１から一気に放電させることでＬＥＤの負荷変動に限らず安定した供給を行うことができる。
【００４５】
次に、上記構成による動作をＤＣＤＣコンバータ（制御部）２２Ａの制御動作を中心に説明する。
【００４６】
ＬＥＤ点灯信号ＬＯが非アクティブのローレベルの場合、ＬＥＤドライバ４０のスイッチ部４１がオフ状態に保持される。このとき、スイッチング電源部２１Ａの供給電圧Ｖｏｕｔを受けた発光部３０に電流Ｉｄｉｍが流れず、各ＬＥＤ３１−１〜３１−ｎが消灯する。
ＬＥＤ点灯信号ＬＯがローレベルの場合、ＤＣＤＣコンバータ（制御部）２２Ａのホールドスイッチ２２２がオフ状態に保持される。
【００４７】
ここで、ＬＥＤ点灯信号ＬＯがアクティブのハイレベルに立ち上がると、ＬＥＤドライバ４０のスイッチ部４１がオンする。スイッチ部４１は、パルス状のＬＥＤ点灯信号ＬＯがアクティブのハイレベルの期間オン状態に保持される。
このとき、スイッチング電源部２１Ａの供給電圧Ｖｏｕｔを受けた発光部３０に電流Ｉｄｉｍが流れ、各ＬＥＤ３１−１〜３１−ｎが点灯する。
スイッチ部４１がオン状態の期間において、発光部３０とスイッチ部４１との接続ノードＮＤ１１の電圧Ｖｓが、ＤＣＤＣコンバータ２２Ａのフィードバック増幅器２２１に供給される。この電圧Ｖｓは、基本的にはスイッチング電源部２１Ａの供給電圧Ｖｏｕｔから発光部３０の全ＬＥＤ３１−１〜３１−ｎの順方向電圧Ｖｆの総和ΣＶｆ（＝ＶＦ）を減じた電圧となる。
【００４８】
また、ＬＥＤ点灯信号ＬＯがハイレベルに切替わると、ＤＣＤＣコンバータ２２Ａのホールドスイッチ２２２がオンする。
そして、フィードバック増幅器２２１においては、ノードＮＤ１１の電圧Ｖｓと基準電圧Ｖｒｅｆとの電圧差を増幅した電圧Ｖｅｒｒがホールドスイッチ２２２に出力される。
このとき、ホールドスイッチ２２２２は導通状態にあるので、フィードバック増幅器２２１による電圧Ｖｅｒｒが乗算器２２３に供給される。
【００４９】
乗算器２２３では、フィードバック増幅器２２１の出力では誤差電圧Ｖｅｒｒを入力し、この誤差電圧Ｖｅｒｒを、端子Ｔ２２１を介して入力されるフィードフォワード用負荷量データＬＤＬに応じて変化させ、この誤差電圧Ｖｅｒｒが比較器２２４に供給される。
比較器２２４においては、誤差電圧ＶｅｒｒとノードＮＤ２３の電圧ＶＮ２３とが比較され、比較結果がＦＦ２２５に出力される。比較器２２４５では、ノードＮＤ２３の電圧ＶＮ２が誤差電圧Ｖｅｒｒより低い場合にはローレベルの信号が出力され、高い場合にはハイレベルの信号が出力される。
【００５０】
ＦＦ２２５では、セット端子Ｓに供給されるクロックＣＬＫとリセット端子Ｒに供給される比較器２２４の出力レベルに応じてパルスが端子Ｑからドライバ２２７に出力される。ＦＦ２２５では、結果としてノードＮＤ１１の電圧Ｖｓと基準電圧Ｖｒｅｆの差分に応じてパルス幅の信号ＰＬＳが、ドライバ２２７に出力される。
そして、このパルス信号ＰＬＳがドライバ２２７を介してスイッチングトランジスタＳＷ２１のゲートに供給され、スイッチング電源部２１Ａでは、このスイッチングトランジスタＳＷ２１のオン、オフ制御により安定した昇圧動作が行われる。
本実施形態のＤＣＤＣコンバータ２２Ａはピーク電流モードであり、ＤＣＤＣコンバータ２２Ａのスイッチング時のピーク電流Ｉｄｃｄｃの大きさにより出力容量Ｃ２１に供給する電流Ｉｏｕｔが変化する。
そして、本実施形態においては、乗算器２２３の出力値によってＤＣＤＣコンバータ２２Ａのピーク電流Ｉｄｃｄｃが制御される。このため、出力容量Ｃ２１に供給する電流Ｉｏｕｔの電流量がフィードフォワード入力によって変化できる。
このように、スイッチング電源部２１Ａでは、ＤＣＤＣコンバータ２２ＡのＰＷＭ制御されたパルス信号によりスイッチングトランジスタＳＷ２１がオン、オフ制御されて定電圧源Ｖ２１の電圧ＶＤＤを昇圧して負荷である発光部１２０の一端部に供給する。
【００５１】
本第２の実施形態によれば、上述した第１の実施形態の効果と同様の効果を得ることができる。
すなわち、本第２の実施形態のＬＥＤ駆動装置１０Ａにおいては、バックライト等の発光部３０に供給するピーク電流量が平均化されて低くなることにより、電源の低コスト化や低面積化を実現することが可能となる。
また、一般に、電源から供給する電力がインパルス状になることで電源に備え付けられているコイルやトランスに流れる電流が急峻となり音鳴りが発生する要因ともなっていたが、本方式により電流が急峻に変化しないため異音（音鳴り）対策の効果がある。
加えてこの構成を実現する構成例となっているフィードフォワード制御は、負荷応答に対して瞬時に反応できるため、安定してバックライト等の発光部３０を点灯させることが可能となる。
画像の面では、実現が難しかった突き上げを大きくしたＬＣＤのインパルス駆動が容易に実現できることから、明るくそして低クロストークで鮮明なモニタ表示が可能になる。
【００５２】
＜３．第３の実施形態＞
図８は、本第３の実施形態に係る発光素子（ＬＥＤ）駆動装置の構成例を示すブロック図である。
【００５３】
本第３の実施形態に係るＬＥＤ駆動装置１０Ｂが第２の実施形態に係るＬＥＤ駆動装置１０Ａと異なる点は、次の通りである。
本第３の実施形態に係るＬＥＤ駆動装置１０Ｂは、Ｖ周期に応じてバックライト等の発光部３０を点灯させる信号（ブリンキング信号）ＢＬＩＮＫと、明るさを調節するバックライトのＰＷＭ点灯信号ＬＯが分かれている場合の構成例である。
【００５４】
図８のように低周波のブリンキング信号ＢＬＩＮＫと高周波のＰＷＭ信号である点灯信号ＬＯが分かれている場合は、次のように構成することができる。
すなわち、高周波のＰＷＭ信号である点灯信号ＬＯを平滑化し、そのアナログ値をフィードフォワード入力として乗算器２２３に入力することで簡単にフィードフォワード回路が実現できる。
【００５５】
図８の構成では、ＰＷＭパルス信号である点灯信号ＬＯを、フィルタ２２８を介し、端子Ｔ２２１を通して乗算器２２３に入力させている。
また、図８のＤＣＤＣコンバータ２２Ｂでは、ホールドスイッチ２２２のオン／オフは低周波のブリンキング信号ＢＬＩＮＫにより行われる。
そして、点灯信号ＬＯとブリンキング信号ＢＬＩＮＫとの論理積をＡＮＤゲート２２９でとった信号でＬＥＤドライバ４０のスイッチ部４１のオン／オフ制御が行われる。
【００５６】
本第３の実施携帯のＬＥＤ駆動装置１０Ｂのその他の構成は、第２の実施形態と同様である。
本第３の実施形態によれば、上述した第１および第２の実施形態の効果と同様の効果を得ることができる。
【００５７】
本実施形態のＬＥＤ駆動装置１０，１０Ａ，１０Ｂは、たとえばバックライト装置を有する透過型液晶表示装置に好適である。
【００５８】
＜４．第４の実施形態＞
以下、本技術の第４の実施形態として、図２、図７、図８のＬＥＤ駆動装置が適用可能なＬＥＤバックライトを用いた液晶表示装置について説明する。
【００５９】
図９は、本第４の実施形態に係る液晶表示装置の構成例を示すブロック図である。
【００６０】
液晶表示装置１００は、図９に示すように、透過型液晶表示パネル（ＬＣＤパネル）１１０、ＬＣＤパネル１１０の背面側に設けられた照明ユニットとしてのバックライト装置１２０、ＬＥＤ駆動装置１３０、液晶ドライバ（パネル駆動回路）１４０を有する。
液晶表示装置１００は、信号処理部１５０、チューナ部１６０、制御部１７０、スピーカ１８１を含むオーディオ部１８０、および電源部１９０を有する。
【００６１】
図１０は、透過型ＬＣＤパネル１１０の構成例を示す図である。
【００６２】
この透過型ＬＣＤパネル１１０は、ＴＦＴ基板１１１と対向電極基板１１２とを互いに対向配置させ、その間隙に、たとえばツイステッドネマチック（ＴＮ）液晶を封入した液晶層１１３を設けた構成となっている。
ＴＦＴ基板１１１にはマトリクス状に配置された信号線１１４と走査線１１５、並びにこれらの交点に配置されたスイッチング素子としての薄膜トランジスタ１１６と画素電極１１７が形成されている。
薄膜トランジスタ１１６は走査線１１５により順次選択されると共に、信号線１１４から供給される映像信号を対応する画素電極１１７に書き込む。一方、対向電極基板１１２の内表面には対向電極１１８およびカラーフィルタ１１９が形成されている。
【００６３】
液晶表示装置１００においては、このような構成の透過型ＬＣＤパネル１１０を２枚の偏光板で挟み、バックライト装置１２０により背面側から白色光を照射した状態で、アクティブマトリクス方式で駆動することによって、所望のフルカラー映像表示が得られる。
【００６４】
バックライト装置１２０は、光源１２１と波長選択フィルタ１２２とを備えている。
光源１２１は、第１、第２および第３の実施形態の駆動対象である発光部３０を形成するＬＥＤアレイが複数配列されて構成される。
バックライト装置１２０は、光源１２１から発光された光を、波長選択フィルタ１２２を介してＬＣＤパネル１１０を背面側から照明する。
【００６５】
図１０に示すバックライト装置１２０は、透過型ＬＣＤパネル１１０を背面に配設され、ＬＣＤパネル１１０の背面直下から照明する直下型タイプを一例として示している。
上述したように、バックライト装置１２０の光源（発光部）１２１は、直列接続した複数のＬＥＤを発光源としている。
バックライト装置１２０の光源１２１は、画面水平方向に並んだＬＥＤが直列接続され、水平方向に直列接続された複数のＬＥＤアレイ（ＬＥＤ群）が、複数個形成される。
【００６６】
このような構成を有するバックライト装置１２０は、ＬＥＤ駆動装置１３０により駆動される。
ＬＥＤ駆動装置１３０としては、前述した図２、図７、図８のＬＥＤ駆動装置が適用可能である。
図９においては、ＬＥＤ駆動装置１３０により光源１２１全体が駆動されるように示されているが、水平方向に直列接続したＬＥＤアレイの一つ一つに独立したＬＥＤ駆動装置が設けられるように構成することも可能である。
【００６７】
液晶ドライバ１４０は、Ｘドライバ回路、Ｙドライバ回路等を含み、信号処理部１５０によりＸドライバ回路およびＹドライバ回路供給されるたとえばＲＧＢセパレート信号でＬＣＤパネル１１０を駆動する。
これにより、ＲＧＢセパレート信号に応じた映像が表示される。
【００６８】
信号処理部１５０は、チューナ部１６０や外部から入力された映像信号に対してクロマ処理等の信号処理を行い、さらに、コンポジット信号からＬＣＤパネル１１０の駆動に適したＲＧＢセパレート信号に変換して、パネル駆動回路１４０に供給する。
また、信号処理部１５０は、入力された信号からオーディオ信号を抽出し、オーディオ部１８０を通してスピーカ１８１から発音させる。
【００６９】
このような構成を有する液晶表示装置１００は、図２、図７、図８のＬＥＤ駆動装置１０，１０Ａ，１０Ｂが適用される。
バックライト装置１２０に供給するピーク電流量が平均化されて低くなることにより、電源の低コスト化や低面積化を実現することが可能となる。
また、バックライト装置１２０のＬＥＤ点灯直後やＬＥＤ消灯時におけるインダクタＬ２１に流れる電流ＩＬの変化分が小さい。
これにより、インダクタに流れる電流ＩＬ等の変化量が小さく抑えられることから、これらの部品から人間の聞こえる異音(音鳴り)の発生を抑止することができる。
加えてフィードフォワード制御は、負荷応答に対して瞬時に反応できるため、安定してバックライト装置１２０を点灯させることが可能となる。
画像の面では、実現が難しかった突き上げを大きくしたＬＣＤのインパルス駆動が容易に実現できることから、明るくそして低クロストークで鮮明なモニタ表示が可能になる。
【００７０】
なお、本技術は以下のような構成をとることができる。
（１）流れる電流に応じた輝度で発光する少なくとも一つの発光素子を含む発光部と、
上記発光部に供給する電力を蓄積可能な出力容量と、
上記発光部の他端側と基準電位との間に接続され、負荷電流の大きさに応じたパルス状の点灯信号によって導通状態が制御されるスイッチ部と、当該スイッチ部に直列に接続された定電流源部と、を含み、当該点灯信号に応じて上記発光部をインパルス駆動するドライバと、
上記発光部の一端側に駆動電力を供給する電源であって、少なくとも上記発光部の他端側と基準電位間における一接続ノードの接続ノード電圧に応じた信号により上記出力容量に供給する出力電流を調整する機能を含む電源制御部と、を有し、
上記電源制御部は、
上記発光部を所定周期でインパルス駆動する際に、必要となる上記発光部のピーク電力である負荷電流情報をもとに当該発光部の当該電源制御部からの上記出力電流の供給量を変化させる
発光素子駆動装置。
（２）上記電源制御部は、
上記負荷電流が切り替わる前の段階における次の負荷電流の大きさの情報をもとに、供給する出力電流を変化させる
上記（１）記載の発光素子駆動装置。
（３）上記電源制御部は、
画像切り替え周期に対して平均化した出力電流を供給する
上記（１）または（２）記載の発光素子駆動装置。
（４）上記電源制御部は、
上記負荷電流が、画像切り替え周期毎にデューティが変化する場合に、画像切り替え周期に対して平均化した出力電流を供給する
上記（３）記載の発光素子駆動装置。
（５）上記電源制御部は、
上記負荷電流が、画像切り替え周期毎のピーク電流が変化する場合に、画像切り替え周期に対して平均化した出力電流を供給する
上記（３）記載の発光素子駆動装置。
（６）上記電源制御部は、
上記負荷電流が、画像切り替え周期毎の点灯期間中の高周波ディマーのデューティが変化する場合に、画像切り替え周期に対して平均化した出力電流を供給する
上記（３）記載の発光素子駆動装置。
（７）上記電源制御部は、
制御端子への信号に応じて流れるピーク電流が調整可能なスイッチ素子を含み、当該ピーク電流の大きさにより上記出力電流を変化させ、当該調整に応じた出力電力を上記発光部の一端側に供給するスイッチング電源部と、
制御部と、を含み、
上記制御部は、
上記発光部の他端側と基準電位間における一接続ノードの接続ノード電圧とあらかじめ設定された基準電圧との誤差電圧を得するフィードバック増幅器と、
上記フィードバック増幅器で得られた誤差電圧を、供給される上記負荷電流情報に応じて変化させるフィードフォワード部と、
上記フィードフォワード部で変化された誤差電圧に比例した上記スイッチ素子を流れる上記ピーク電流となるパルス幅の信号を上記スイッチ素子の制御端子に出力するパルス変換部と、を含む
上記（１）から（６）のいずれか一に記載の発光素子駆動装置。
（８）上記ドライバのスイッチ部に供給されるパルス状の点灯信号は、
所定周期に応じて上記発光部を点灯させるブリンキング信号と、明るさを調節する点灯信号と、を含み、
上記電源制御部の上記フィードフォワード部は、
上記フィードバック増幅器で得られた誤差電圧を、供給される上記明るさを調節する点灯信号に応じて変化させる
上記（７）記載の発光素子駆動装置。
（９）流れる電流に応じた輝度で発光する少なくとも一つの発光素子を含む発光部と、
上記発光部に供給する電力を蓄積可能な出力容量と、
上記発光部の他端側と基準電位との間に接続され、負荷電流の大きさに応じたパルス状の点灯信号によって導通状態が制御されるスイッチ部と、当該スイッチ部に直列に接続された定電流源部と、を含み、当該点灯信号に応じて上記発光部をインパルス駆動するドライバと、
上記発光部の一端側に駆動電力を供給する電源であって、少なくとも上記発光部の他端側と基準電位間における一接続ノードの接続ノード電圧に応じた信号により上記出力容量に供給する出力電流を調整する機能を含む電源制御部と、
を有する発光素子駆動装置で上記発光部を所定周期でインパルス駆動する際に、必要となる上記発光部のピーク電力である負荷電流情報をもとに当該発光部の上記電源制御部からの上記出力電流の供給量を変化させる
発光素子駆動方法。
（１０）上記負荷電流が切り替わる前の段階における次の負荷電流の大きさの情報をもとに、供給する出力電流を変化させる
上記（９）記載の発光素子駆動方法。
（１１）画像切り替え周期に対して平均化した出力電流を供給する
上記（９）または（１０）記載の発光素子駆動方法。
（１２）上記負荷電流が、画像切り替え周期毎にデューティが変化する場合に、画像切り替え周期に対して平均化した出力電流を供給する
上記（１１）記載の発光素子駆動方法。
（１３）上記負荷電流が、画像切り替え周期毎のピーク電流が変化する場合に、画像切り替え周期に対して平均化した出力電流を供給する
上記（１１）記載の発光素子駆動方法。
（１４）上記負荷電流が、画像切り替え周期毎の点灯期間中の高周波ディマーのデューティが変化する場合に、画像切り替え周期に対して平均化した出力電流を供給する
上記（１１）記載の発光素子駆動方法。
（１５）表示部と、
流れる電流に応じた輝度で発光する少なくとも一つの発光素子を含む発光部を有し、上記表示部に発光した光を照射する照明ユニットと、
上記発光部における発光素子を駆動する発光素子駆動装置と、を有し、
上記発光素子駆動装置は、
流れる電流に応じた輝度で発光する少なくとも一つの発光素子を含む発光部と、
上記発光部に供給する電力を蓄積可能な出力容量と、
上記発光部の他端側と基準電位との間に接続され、負荷電流の大きさに応じたパルス状の点灯信号によって導通状態が制御されるスイッチ部と、当該スイッチ部に直列に接続された定電流源部と、を含み、当該点灯信号に応じて上記発光部をインパルス駆動するドライバと、
上記発光部の一端側に駆動電力を供給する電源であって、少なくとも上記発光部の他端側と基準電位間における一接続ノードの接続ノード電圧に応じた信号により上記出力容量に供給する出力電流を調整する機能を含む電源制御部と、を有し、
上記電源制御部は、
上記発光部を所定周期でインパルス駆動する際に、必要となる上記発光部のピーク電力である負荷電流情報をもとに当該発光部の当該電源制御部からの上記出力電流の供給量を変化させる
表示装置。
【符号の説明】
【００７１】
１０，１０Ａ、１０Ｂ・・・発光素子（ＬＥＤ）駆動装置、２０・・・ＬＥＤ電源制御部、２１，２１Ａ・・・昇圧チョッパ型のスイッチング電源部、Ｖ２１・・・定電圧源、Ｌ２１・・・インダクタ、Ｄ２１・・・ダイオード、Ｃ２１・・・出力容量（蓄電用キャパシタ）、ＳＷ２１・・・スイッチングトランジスタ、Ｒ２１・・・電流検出用抵抗素子、ＮＤ２１〜ＮＤ２３・・・ノード、２２，２２Ａ，２２Ｂ・・・ＤＣＤＣコンバータ（制御部）、２２１・・・フィードバック増幅器、２２２・・・ホールドスイッチ）、２２３・・・乗算器、２２４・・・比較器、２２５・・・パルス出力用フリップフロップ（ＦＦ）、２２６・・・クロック発生器、２２７・・・ドライバ、Ｖ２２１・・・基準電圧源、３０・・・負荷としての発光部、４０・・・ＬＥＤドライバ、４１・・・スイッチ部、４２・・・定電流源部、１００・・・液晶表示装置、１１０・・・透過型液晶表示パネル（ＬＣＤパネル）、１２０・・・バックライト装置、１３０・・・ＬＥＤ駆動装置、１４０・・・液晶ドライバ（パネル駆動回路）、１５０・・・信号処理部、１６０・・・チューナ部、１７０・・・制御部、１８０・・・オーディオ部、１９０・・・電源部。
【図１】
2013200327.tif 000003
【図２】
2013200327.tif 000004
【図３】
2013200327.tif 000005
【図４】
2013200327.tif 000006
【図５】
2013200327.tif 000007
【図６】
2013200327.tif 000008
【図７】
2013200327.tif 000009
【図８】
2013200327.tif 000010
【図９】
2013200327.tif 000011
【図１０】
2013200327.tif 000012